(57)【要約】【課題】  ＰＤＰの製造時の歩留まりを高くする。【解決手段】  行電極対（Ｘ１，Ｙ１），（Ｘ２，Ｙ２）と列電極Ｄ１，Ｄ２の双方が前面ガラス基板１０側に形成され、隣接する行電極対（Ｘ１，Ｙ１），（Ｘ２，Ｙ２）間において各行電極Ｘ１，Ｘ２，Ｙ１，Ｙ２がバス電極Ｘ１ａ，Ｙ１ａを共有しており、第１画素Ｐ１および第２画素Ｐ２が、隣接する二つの行電極対（Ｘ１，Ｙ１），（Ｘ２，Ｙ２）に対向する位置に跨ってデルタ状に位置している三個の単位発光領域（Ｃ１Ｒ，Ｃ１Ｇ，Ｃ２Ｂ），（Ｃ１Ｂ，Ｃ２Ｒ，Ｃ２Ｇ）によって構成されている。【選択図】      図３
2007066793.tif 000002
【特許請求の範囲】
【請求項１】
放電空間を介して対向される一対の基板と、この一対の基板の間において行方向に延びるとともに列方向に並設された複数の行電極対、および、列方向に延び行方向に並設されて行電極対との交差部分の放電空間に単位発光領域を形成する複数の列電極と、他方の基板側に各単位発光領域内に単位発光領域毎に色分けされて形成された赤，緑，青の蛍光体層と、他方の基板側に形成されて放電空間を単位発光領域毎に区画する隔壁とを備え、赤，緑，青の蛍光体層がそれぞれ形成されている三個の単位発光領域によって一つの画素が構成されるプラズマディスプレイパネルにおいて、
前記行電極対と列電極が一対の基板のうちの一方の基板側に設けられ、
前記行電極対を構成する対になった各行電極が、行電極本体部と、この行電極本体部から対になっている相手の行電極側に突出して互いに放電ギャップを介して対向される行電極突出部とを有しているとともに、隣接する行電極対間において各行電極が行電極本体部を共有しており、
前記画素が、単位発光領域のうち隣接する二つの行電極対に対向する位置に跨ってデルタ状に位置している三個の単位発光領域によって構成されている、
ことを特徴とするプラズマディスプレイパネル。
【請求項２】
前記隣接する二つの行電極対の一方の行電極対に対向する単位発光領域と他方の行電極対に対向する単位発光領域とが、互いに行方向に半ピッチずつずれた位置に配置されている請求項１に記載のプラズマディスプレイパネル。
【請求項３】
前記隔壁が、行電極対に沿って行方向に並ぶ単位発光領域間を区画する縦壁部と、隣接する二つの行電極対の一方の行電極対に対向する単位発光領域と他方の行電極対に対向する単位発光領域との間を区画する横壁部とを有している請求項１に記載のプラズマディスプレイパネル。
【請求項４】
前記隣接する二つの行電極対の一方の行電極対に対向する単位発光領域間を区画する縦壁部と、他方の行電極対に対向する単位発光領域間を区画する縦壁部が、互いに行方向に半ピッチずつずれた位置に配置されている請求項３に記載のプラズマディスプレイパネル。
【請求項５】
前記隔壁が、略ハニカム形状を有している請求項４に記載のプラズマディスプレイパネル。
【請求項６】
前記行電極の行電極突出部が、単位発光領域毎に行電極本体部から突出して対になっている相手の行電極の行電極突出部と放電ギャップを介して互いに対向されており、列電極が、それぞれ、単位発光領域に対向する位置において放電ギャップに対向する位置から行方向に隣接する他の単位発光領域側にオフセットした位置に配置されている請求項１に記載のプラズマディスプレイパネル。
【請求項７】
前記列電極が、単位発光領域に対向する部分において、列方向に帯状に延びる列電極本体部と、この列電極本体部からそれぞれ行方向に延びて先端部が放電ギャップに対向される複数の列電極突出部とを有している請求項６に記載のプラズマディスプレイパネル。
【請求項８】
前記行電極の行電極突出部が、単位発光領域毎に行電極本体部から突出して対になっている相手の行電極の行電極突出部と放電ギャップを介して互いに対向され、列電極が、隣接する二つの行電極対のうちの一方の行電極対との間で単位発光領域を形成する第１列電極と、他方の行電極対との間で単位発光領域を形成する第２列電極とを有し、この第１列電極および第２列電極のそれぞれの行電極対との間で単位発光領域を形成している部分が放電ギャップに対向する位置から行方向に隣接する他の単位発光領域側にオフセットしているとともに、単位発光領域を形成していない部分が隔壁の縦壁部に対向する位置に位置されている請求項４に記載のプラズマディスプレイパネル。
【請求項９】
前記第１列電極および第２列電極が、それぞれ、単位発光領域に対向する部分において、列方向に帯状に延びる列電極本体部と、この列電極本体部からそれぞれ行方向に延びて先端部が放電ギャップに対向される複数の列電極突出部とを有している請求項８に記載のプラズマディスプレイパネル。
【発明の詳細な説明】
【技術分野】
【０００１】
この発明は、プラズマディスプレイパネルの構成に関する。
【背景技術】
【０００２】
図１および２は、従来のプラズマディスプレイパネル（以下、ＰＤＰという）を示す正面図であり、図２は図１のＶ−Ｖ線における断面図である。
【０００３】
この図１および２において、前面ガラス基板１の背面に、複数の行電極対（Ｘ，Ｙ）が、前面ガラス基板１の行方向に延び列方向に並設されている。
【０００４】
行電極Ｘ（Ｙ）は、前面ガラス基板１の行方向に延びるバス電極Ｘａ（Ｙａ）と、このバス電極Ｘａ（Ｙａ）に沿って等間隔に並設された透明電極Ｘｂ（Ｙｂ）とによって構成されており、この行電極ＸとＹが、前面ガラス基板１の列方向に交互に配列されて、透明電極ＸｂとＹｂが互いに対になっている相手の行電極側に延びて、それぞれの幅広の頭部が放電ギャップｇを介して対向されている。
【０００５】
そして、この前面ガラス基板１の背面に第１誘電体層２が形成されて、行電極対（Ｘ，Ｙ）が被覆されている。
【０００６】
この第１誘電体層２の背面側には、列電極Ｄを構成する帯状の列電極本体部Ｄａが、行電極Ｘ（Ｙ）のバス電極Ｘａ（Ｙａ）に沿って行方向に等間隔に並ぶ透明電極Ｘｂ（Ｙｂ）のそれぞれの中間位置に対向する位置において列方向に延びるように、行方向に互いに所要の間隔を開けて並設されている。
【０００７】
さらに、この第１誘電体層２の背面側には、列電極Ｄを構成する帯状の列電極放電部Ｄｂが、各列電極本体部Ｄａの側部から行方向に延びて先端部がそれぞれ各透明電極ＸｂとＹｂ間の放電ギャップｇの中間位置に対向する位置に位置されるように、列電極本体部Ｄａと一体的に形成されている。
【０００８】
第１誘電体層２の背面には、第２誘電体層３が形成されて、列電極Ｄが被覆されている。
【０００９】
前面ガラス基板１と放電空間を介して対向する背面ガラス基板４の内面上には、列方向に延びる縦壁５Ａと行方向に延びる横壁５Ｂとによって構成される略格子状の隔壁５が形成されており、この隔壁５によって、放電空間が、各行電極対（Ｘ，Ｙ）において対になっている透明電極ＸｂとＹｂに対向する部分毎に区画されて、それぞれ方形の放電セルＣが形成されている。
【００１０】
そして、各放電セルＣ内には、放電セルＣ毎に赤，緑，青に色分けされた蛍光体層６が、行方向に赤，緑，青の順に並ぶように形成されている。
【００１１】
そして、この行方向に並んだ赤，緑，青の三個の放電セルＣによって一画素Ｐが構成されている。
放電空間内には、キセノンを含む放電ガスが封入されている。
【００１２】
このＰＤＰは、選択された放電セルＣ内において、行電極Ｙの透明電極Ｙｂと列電極Ｄの列電極放電部Ｄｂとの間でアドレス放電が発生されて、第１誘電体層２および第２誘電体層３に壁電荷が形成された発光セルと壁電荷が形成されていない非発光セルが、画像データに対応してパネル面に分布される。
【００１３】
そして、次に、発光セル内において行電極Ｘ，Ｙの透明電極ＸｂとＹｂ間でサステイン放電が発生されて、赤，緑，青の蛍光体層６が発光することにより、マトリクス表示による画像を形成する（例えば、特許文献１参照）。
【００１４】
この従来のＰＤＰは、行電極対（Ｘ，Ｙ）と列電極Ｄの双方が前面ガラス基板１側に形成されることによって、製造プロセスが簡略化されて、ＰＤＰの製造コストが大幅に低減されるという利点を有している。
【００１５】
しかしながら、上記のように前面ガラス基板側に行電極対と列電極とが設けられるＰＤＰの構成では、この行電極対および列電極と、背面ガラス基板側に形成されている隔壁との位置関係が非常にシビアになり、放電特性への影響が非常に大きくなる。
【００１６】
例えば、前面ガラス基板と背面ガラス基板の重ね合わせ位置がずれると、放電セル内におけるアドレス放電の放電領域が隔壁によって制限されて、所要の壁電荷の形成（または、壁電荷の消去）を行うことが出来なくなる場合が生じる。
【００１７】
近年、パネルの高精細化に伴う放電セルの微細化によって、前面ガラス基板と背面ガラス基板の重ね合わせの際の位置合わせの許容範囲が非常に狭くなり、従来のＰＤＰの構造では、前面ガラス基板と背面ガラス基板の僅かな重ね合わせ位置のずれによって所要の放電特性を得られなくなる場合が生じ、製造工程における製品の歩留まりが大幅に低下してしまうという問題が発生する。
【００１８】
【特許文献１】特開２００４−３９５７８号公報
【発明の開示】
【発明が解決しようとする課題】
【００１９】
この発明は、上記のような従来のＰＤＰにおける問題点を解決することをその技術的課題の一つとしている。
【課題を解決するための手段】
【００２０】
この発明（請求項１に記載の発明）によるＰＤＰは、上記目的を達成するために、放電空間を介して対向される一対の基板と、この一対の基板の間において行方向に延びるとともに列方向に並設された複数の行電極対、および、列方向に延び行方向に並設されて行電極対との交差部分の放電空間に単位発光領域を形成する複数の列電極と、他方の基板側に各単位発光領域内に単位発光領域毎に色分けされて形成された赤，緑，青の蛍光体層と、他方の基板側に形成されて放電空間を単位発光領域毎に区画する隔壁とを備え、赤，緑，青の蛍光体層がそれぞれ形成されている三個の単位発光領域によって一つの画素が構成されるプラズマディスプレイパネルにおいて、前記行電極対と列電極が一対の基板のうちの一方の基板側に設けられ、前記行電極対を構成する対になった各行電極が、行電極本体部と、この行電極本体部から対になっている相手の行電極側に突出して互いに放電ギャップを介して対向される行電極突出部とを有しているとともに、隣接する行電極対間において各行電極が行電極本体部を共有しており、前記画素が、単位発光領域のうち隣接する二つの行電極対に対向する位置に跨ってデルタ状に位置している三個の単位発光領域によって構成されていることを特徴としている。
【発明を実施するための最良の形態】
【００２１】
この発明は、行電極対と列電極の双方が前面基板側に形成され、行電極対を構成する各行電極が、行電極本体部と、この行電極本体部から対になっている相手の行電極側に突出して互いに放電ギャップを介して対向される行電極突出部とを有しているとともに、隣接する行電極対間において各行電極が行電極本体部を共有しており、一画素が、単位発光領域のうち隣接する二つの行電極対に対向する位置に跨ってデルタ状に位置している三個の単位発光領域によって構成されているＰＤＰをその最良の実施形態としている。
【００２２】
この実施形態によるＰＤＰは、隣接する行電極対間において各行電極が行電極本体部を共有していることによって、隣接する行電極対間に形成される非表示領域の列方向の幅が小さくなり、各単位発光領域の列方向の幅が大きくなって、行電極対を構成する一方の行電極の行電極突出部と列電極との間で発生されるアドレス放電の単位発光領域内における放電領域が従来のＰＤＰに比べて大きくなる。
【００２３】
行電極対と列電極が同じ基板側に配置され、隣接する行電極対間において行電極が行電極本体部を共有している場合、列電極との間でアドレス放電を発生する側の行電極の配置が、隣接する二つの行電極対において互いに逆の位置関係になり、前面基板と蛍光体層および隔壁が形成された背面基板の重ね合わせ位置が列方向にずれた場合には、単位発光領域内のアドレス放電が発生する側の空間が、隣接する行電極対に対向している単位発光領域において一方では拡がり他方では狭まることになるが、上記構成のＰＤＰでは、アドレス放電の十分な放電領域が確保されていて、このアドレス放電の放電領域が隔壁によって制約を受けることが少ないので、前面基板と背面基板の重ね合わせ位置のずれによる影響が少なくなり、隣接する行電極対に対向する単位発光領域間においてアドレス放電に差が発生するのが防止されて、安定した駆動マージンを得ることが出来る。
【００２４】
そして、これによって、前面基板と背面基板の重ね合わせ位置の精度に対する許容度が大きくなり、製造工程における製品の歩留まりが大幅に向上されるようになる。
【００２５】
特に、放電空間を単位発光領域毎に区画する隔壁が略ハニカム形状を有しており、隣接する二つの行電極対の一方の行電極対に対向する六角形状の単位発光領域と他方の行電極対に対向する六角形状の単位発光領域とが、互いに行方向に半ピッチずつずれた位置に配置されている場合には、各単位発光領域の列方向の幅が拡がって、大きなアドレス放電の放電領域が確保されるので、前面基板と背面基板の重ね位置の列方向のずれに対する許容度がさらに大きくなる。
【実施例】
【００２６】
図３および４は、この発明の実施形態における一実施例を示しており、図３はこの実施例におけるＰＤＰの正面図，図４は図３のＶ１−Ｖ１線における断面図ある。
【００２７】
この図３および４において、ＰＤＰは、表示面である前面ガラス基板１０の背面に、行方向（図３の左右方向）に延びる金属製のバス電極Ｘ１ａ，Ｙ１ａ が、列方向に等間隔にかつバス電極Ｘ１ａとＹ１ａが交互に位置するように並設されている。
【００２８】
バス電極Ｘ１ａの等間隔位置に、このバス電極Ｘ１ａから列方向（図３の上下方向）の下方向きに延びる透明電極Ｘ１ｂ１と、上方向きに延びる透明電極Ｘ１ｂ２が交互に接続されている。
【００２９】
バス電極Ｙ１ａの等間隔位置に、このバス電極Ｙ１ａから列方向の上方向きに延びてバス電極Ｘ１ａの透明電極Ｘ１ｂ１に対向される透明電極Ｙ１ｂ１と、下方向きに延びてバス電極Ｘ１ａの透明電極Ｘ１ｂ２に対向される透明電極Ｙ１ｂ２が交互に接続されている。
【００３０】
この透明電極Ｘ１ｂ１，Ｘ１ｂ２，Ｙ１ｂ１，Ｙ１ｂ２は、それぞれ略Ｔ字形状に成形されていて、透明電極Ｘ１ｂ１とＹ１ｂ１の幅広の頭部が互いに放電ギャップｇ１を介して対向されており、透明電極Ｘ１ｂ２とＹ１ｂ２の幅広の頭部が互いに放電ギャップｇ２を介して対向されている。
【００３１】
そして、バス電極Ｘ１ａと透明電極Ｘ１ｂ１によって構成される行電極Ｘ１とバス電極Ｙ１ａと透明電極Ｙ１ｂ１によって構成される行電極Ｙ１とによって、第１行電極対（Ｘ１，Ｙ１）が構成され、バス電極Ｘ１ａと透明電極Ｘ１ｂ２によって構成される行電極Ｘ２とバス電極Ｙ１ａと透明電極Ｙ１ｂ２によって構成される行電極Ｙ２とによって、第２行電極対（Ｘ２，Ｙ２）が構成されている。
【００３２】
この第１行電極対（Ｘ１，Ｙ１）の透明電極Ｘ１ｂ１，Ｙ１ｂ１と第２行電極対（Ｘ２，Ｙ２）の透明電極Ｘ１ｂ２，Ｙ１ｂ２は、互いに、行方向において半ピッチずつずれた位置に配置されている。
【００３３】
前面ガラス基板１０の背面には、さらに第１誘電体層１１が形成されて、この第１誘電体層１１によって第１行電極対（Ｘ１，Ｙ１）および第２行電極対（Ｘ２，Ｙ２）が被覆されている。
【００３４】
この第１誘電体層１１の背面には、下記のような第１列電極Ｄ１と第２列電極Ｄ２が行方向に交互に並設されている。
【００３５】
すなわち、第１列電極Ｄ１は、第１行電極対（Ｘ１，Ｙ１）に対向する部分では、対になっている透明電極Ｘ１ｂ１，Ｙ１ｂ１の左側方位置に対向する位置を列方向に延び、第２行電極対（Ｘ２，Ｙ２）に対向する部分では、透明電極Ｘ１ｂ１，Ｙ１ｂ１と直線状に並ぶ位置を列方向に延び、バス電極Ｘ１ａ，Ｙ１ａに対向する部分では列方向に対して斜行する方向に延びる列電極本体部Ｄ１ａと、第１行電極対（Ｘ１，Ｙ１）に対向する部分において、それぞれ列電極本体部Ｄ１ａから行方向に突出して先端部が透明電極Ｘ１ｂ１，Ｙ１ｂ１間の放電ギャップｇ１に対向される複数の列電極放電部Ｄ１ｂとから構成されている。
【００３６】
第２列電極Ｄ２は、第２行電極対（Ｘ２，Ｙ２）に対向する部分では、対になっている透明電極Ｘ１ｂ２，Ｙ１ｂ２の左側方位置に対向する位置を列方向に延び、第１行電極対（Ｘ１，Ｙ１）に対向する部分では、透明電極Ｘ１ｂ２，Ｙ１ｂ２と直線状に並ぶ位置を列方向に延び、バス電極Ｘ１ａ，Ｙ１ａに対向する部分では列方向に対して斜行する方向に延びる列電極本体部Ｄ２ａと、第２行電極対（Ｘ２，Ｙ２）に対向する部分において、それぞれ列電極本体部Ｄ２ａから行方向に突出して先端部が透明電極Ｘ１ｂ２，Ｙ１ｂ２間の放電ギャップｇ２に対向される複数の列電極放電部Ｄ２ｂとから構成されている。
【００３７】
第１誘電体層１１の背面には、さらに第２誘電体層１２が形成されて、この第２誘電体層１２によって第１列電極Ｄ１および第２列電極Ｄ２が被覆されている。
【００３８】
第２誘電体層１２の背面のそれぞれバス電極Ｘ１ａ，Ｙ１ａに対向する位置には、第２誘電体層１２の背面から突出するとともに行方向に延びる嵩上げ誘電体層１２Ａが形成され、この嵩上げ誘電体層１２Ａと嵩上げ誘電体層１２Ａが形成されていない部分の第２誘電体層１２の背面は、図示しないＭｇＯ等の高γ材料によって形成された保護層によって被覆されている。
【００３９】
一方、前面ガラス基板１０と平行に対向される背面ガラス基板１３の内面（前面ガラス基板１０に対向する面）上には、白色の誘電体層１４が形成され、さらに、この白色誘電体層１４上に、下記のような形状の隔壁１５が形成されている。
【００４０】
すなわち、隔壁１５は、第１行電極対（Ｘ１，Ｙ１）に対向する部分において第２列電極Ｄ２に対向する位置を列方向に延びる第１縦壁１５Ａ１と、第２行電極対（Ｘ２，Ｙ２）に対向する部分において第１列電極Ｄ１に対向する位置を列方向に延びる第２縦壁１５Ａ２と、バス電極Ｘ１ａ，Ｙ１ａに対向する位置において、行方向に半ピッチずつずれた位置に位置される第１縦壁１５Ａ１と第２縦壁１５Ａ２の端部を連結する右斜壁１５Ｂ１および左斜壁１５Ｂ２によって、ハニカム形状に成形されている。
【００４１】
そして、この隔壁１５によって、前面ガラス基板１０と背面ガラス基板１３の間に形成される放電空間が、対になっている透明電極Ｘ１ｂ１とＹ１ｂ１、および、対になっている透明電極Ｘ１ｂ２とＹ１ｂ２に対向する部分毎に区画されて、それぞれ第１行電極対（Ｘ１，Ｙ１）に沿って行方向に並ぶ六角形の第１放電セルと、第２行電極対（Ｘ２，Ｙ２）の沿って行方向に並ぶ六角形の第２放電セルが形成されている。
【００４２】
この第１放電セル内には、セル毎に赤，緑，青に色分けされた蛍光体層１６が行方向に順に並ぶように形成されている（以下、赤の蛍光体層が形成された第１放電セルを第１赤色放電セルＣ１Ｒ，緑の蛍光体層が形成された第１放電セルを第１緑色放電セルＣ１Ｇ，青の蛍光体層が形成された第１放電セルを第１青色放電セルＣ１Ｂと呼ぶ）。
【００４３】
同様に、第２放電セル内には、セル毎に赤，緑，青に色分けされた蛍光体層１６が行方向に順に並ぶように、かつ、第１赤色放電セルＣ１Ｒ，第１緑色放電セルＣ１Ｇ，第１青色放電セルＣ１Ｂに対して、同じ色が行方向に１．５ピッチずつずれた位置に位置される様に形成されている（以下、赤の蛍光体層が形成された第２放電セルを第２赤色放電セルＣ２Ｒ，緑の蛍光体層が形成された第２放電セルを第２緑色放電セルＣ２Ｇ，青の蛍光体層が形成された第２放電セルを第２青色放電セルＣ２Ｂと呼ぶ）。
【００４４】
そして、第１赤色放電セルＣ１Ｒと第１緑色放電セルＣ１Ｇ，第２青色放電セルＣ２Ｂの三個の放電セル、すなわち、第１行電極対（Ｘ１，Ｙ１）に対向している二個の第１放電セルと、行方向においてこの二個の第１放電セルの間に位置して第２行電極対（Ｘ２，Ｙ２）に対向する一個の第２放電セルとによって、第１画素Ｐ１が構成されている。
【００４５】
さらに、第１画素Ｐ１に対して行方向に隣接する位置に、第１青色放電セルＣ１Ｂと第２赤色放電セルＣ２Ｒ，第２緑色放電セルＣ２Ｇの三個の放電セル、すなわち、第２行電極対（Ｘ２，Ｙ２）に対向している二個の第２放電セルと、行方向においてこの二個の第２放電セルの間に位置して第１行電極対（Ｘ１，Ｙ１）に対向する一個の第１放電セルとによって第２画素Ｐ２が構成され、この第２画素Ｐ２と第１画素Ｐ１が行方向に交互に配置されている。
放電空間内には、キセノンを含む放電ガスが封入されている。
【００４６】
上記ＰＤＰは、第１赤色放電セルＣ１Ｒ，第１緑色放電セルＣ１Ｇ，第１青色放電セルＣ１Ｂ内においては、第１列電極Ｄ１の列電極放電部Ｄ１ｂと行電極Ｙ１の透明電極Ｙ１ｂ１との間で、第２赤色放電セルＣ２Ｒ，第２緑色放電セルＣ２Ｇ，第２青色放電セルＣ２Ｂ内においては、第２列電極Ｄ２の列電極放電部Ｄ２ｂと行電極Ｙ２の透明電極Ｙ１ｂ２との間において、それぞれ選択的にアドレス放電が発生される。
【００４７】
そして、このアドレス放電によって、発光セル（第１画素Ｐ１，第２画素Ｐ２を構成する第１放電セル，第２放電セルのうち、それぞれ対向する部分の第１誘電体層１１および第２誘電体層１２に壁電荷が形成されている放電セル）と、消灯セル（第１画素Ｐ１，第２画素Ｐ２を構成する第１放電セル，第２放電セルのうち、それぞれ対向する部分の第１誘電体層１１および第２誘電体層１２の壁電荷が消去された放電セル）とが、映像信号の画像データに基づいてパネル面に分布される。
【００４８】
この後、発光セルにおいて、行電極Ｘ１，Ｙ１の透明電極Ｘ１ｂ１とＹ１ｂ１間、または、行電極Ｘ２，Ｙ２の透明電極Ｘ１ｂ２とＹ１ｂ２間においてサステイン放電が発生され、この放電によって放電ガス中のキセノンから発生される真空紫外線によって励起されて各放電セル内の赤，緑，青の蛍光体層１６が発光することにより、マトリクス表示による画像が形成される。
【００４９】
図４には、上記ＰＤＰにおいて、前面ガラス基板１０と背面ガラス基板１３が正規の位置に位置合わせされている場合の放電セル内でのアドレス放電ｄの発生状態が示されている。
【００５０】
なお、この図４においては、第１赤色放電セルＣ１Ｒ内におけるアドレス放電が示されているが、他の放電セルにおいても同様である。
【００５１】
この第１赤色放電セルＣ１Ｒにおいて、アドレス放電ｄは、図示のように、行電極Ｙ１の透明電極Ｙ１ｂ１と第１列電極Ｄ１の列電極放電部Ｄ１ｂの間で発生される。
【００５２】
このとき、上記ＰＤＰは、各第１放電セル（第１赤色放電セルＣ１Ｒ，第１緑色放電セルＣ１Ｇ，第１青色放電セルＣ１Ｂ）と第２放電セル（第２赤色放電セルＣ２Ｒ，第２緑色放電セルＣ２Ｇ，第２青色放電セルＣ２Ｂ）が、ハニカム形状の隔壁１５によって六角形に区画されているとともに、第１画素Ｐ１および第２画素Ｐ２が、それぞれ、行方向に半ピッチずつずれてデルタ状に位置する第１放電セルと第２放電セルの組み合わせによって構成されていることにより、アドレス放電ｄが発生される領域の列方向における両側の部分の領域（図３において上下、図５において左右に位置する部分の領域）が図１および２に示される従来のＰＤＰの場合よりも広くなっていて、広いアドレス放電ｄの放電領域が確保される。
【００５３】
これによって、例えば図５に示されるように、前面ガラス基板１０の背面ガラス基板１３に対する重ね合わせ位置が列方向の一方（図５においては左方向）にずれたような場合でも、アドレス放電ｄの放電セル内における放電領域が隔壁１５によって制約を受けることがなく、前面ガラス基板１０と背面ガラス基板１３の重ね合わせ位置の精度に対する許容度が従来のＰＤＰに比べて大幅に大きくなるので、製造工程における製品の歩留まりが大幅に向上されるようになる。
【００５４】
さらに、上記ＰＤＰは、第１放電セルの行電極Ｘ１とＹ１の位置関係と第２放電セルのおける行電極Ｘ２とＹ２の位置関係が列方向において逆になっており、前面ガラス基板１０と背面ガラス基板１３の重ね合わせ位置が列方向にずれた際に、放電セル内のアドレス放電が発生される側の空間が、第１放電セルと第２放電セルの一方では拡がり他方では狭まることになるが、前述したように、放電セル内にアドレス放電ｄの十分な放電領域が確保されていて、前面ガラス基板１０と背面ガラス基板１３の重ね合わせ位置のずれによる影響が少ないので、第１放電セルと第２放電セルとでアドレス放電に差が発生する虞がなく、安定した駆動マージンを得ることが出来るようになる。
【００５５】
なお、上記ＰＤＰは、行電極Ｘ１とＸ２がバス電極Ｘ１ａを、また、行電極Ｙ１とＹ２がバス電極Ｙ１ａをそれぞれ共有しているため、隣接する第１行電極対（Ｘ１，Ｙ１）と第２行電極対（Ｘ２，Ｙ２）間に形成される非表示領域（発光に関与しない領域）の列方向に幅が図１および２の従来のＰＤＰに比べて小さくなるので、各放電セルが隔壁によって、例えば方形や八角形状等に区画される場合でも、非表示領域が小さくなる分だけ各放電セルの列方向の幅が大きくなって、前面ガラス基板と背面ガラス基板の重ね合わせ位置の精度に対する許容度が大きくなり、製造工程における製品の歩留まりが大幅に向上されるようになる。
【００５６】
図６は、上記ＰＤＰの変形例を示している。
上記ＰＤＰの第１列電極Ｄ１と第２列電極Ｄ２がそれぞれ列電極本体部と列電極放電部を備えていたのに対し、図６のＰＤＰは、第１列電極Ｄ３と第２列電極Ｄ４が、列電極本体部のみによって構成されている。
【００５７】
このＰＤＰの他の部分の構成は、図３および４のＰＤＰの構成と同様であり、同一に符号が付されている。
【００５８】
このＰＤＰも、上記ＰＤＰの場合と同様に、前面ガラス基板１０と背面ガラス基板１３の重ね合わせ位置の精度に対する許容度が大きくなり、製造工程における製品の歩留まりが大幅に向上されるようになるとともに、前面ガラス基板１０と背面ガラス基板１３の重ね合わせ位置が列方向にずれた際にも、一画素を構成するデルタ状に配置された第１放電セルと第２放電セルとでアドレス放電に差が発生する虞がないので、安定した駆動マージンを得ることが出来るようになる。
【００５９】
上記実施例のＰＤＰは、行電極対と列電極の双方が前面基板側に形成され、行電極対を構成する各行電極が、行電極本体部と、この行電極本体部から対になっている相手の行電極側に突出して互いに放電ギャップを介して対向される行電極突出部とを有しているとともに、隣接する行電極対間において各行電極が行電極本体部を共有しており、一画素が、単位発光領域のうち隣接する二つの行電極対に対向する位置に跨ってデルタ状に位置している三個の単位発光領域によって構成されるＰＤＰを、その上位概念としている。
【００６０】
この上位概念を構成するＰＤＰは、隣接する行電極対間において各行電極が行電極本体部を共有していることによって、隣接する行電極対間に形成される非表示領域の列方向の幅が小さくなり、各単位発光領域の列方向の幅が大きくなって、行電極対を構成する一方の行電極の行電極突出部と列電極との間で発生されるアドレス放電の単位発光領域内における放電領域が従来のＰＤＰに比べて大きくなる。
【００６１】
行電極対と列電極が同じ基板側に配置され、隣接する行電極対間において行電極が行電極本体部を共有している場合、列電極との間でアドレス放電を発生する行電極の配置が隣接する二つの行電極対の間で互いに逆の位置関係になり、前面基板と蛍光体層および隔壁が形成された背面基板の重ね合わせ位置が列方向にずれた場合には、単位発光領域内のアドレス放電が発生される側の空間が、隣接する行電極対に対向している単位発光領域間で、一方では拡がり他方では狭まることになるが、上記構成のＰＤＰでは、アドレス放電の十分な放電領域が確保されていて、このアドレス放電の放電領域が隔壁によって制約を受けることが少ないので、前面基板と背面基板の重ね合わせ位置のずれによる影響が少なくなり、隣接する行電極対に対向する単位発光領域間においてアドレス放電に差が発生するのが防止されて、安定した駆動マージンを得ることが出来る。
【００６２】
そして、これによって、前面基板と背面基板の重ね合わせ位置の精度に対する許容度が大きくなり、製造工程における製品の歩留まりが大幅に向上するようになる。
【図面の簡単な説明】
【００６３】
【図１】従来のＰＤＰを示す正面図である。
【図２】図１のＶ−Ｖ線における断面図である。
【図３】この発明の実施形態における一実施例を示す正面図である。
【図４】図３のＶ１−Ｖ１線における断面図である。
【図５】同実施例において、前面ガラス基板と背面ガラス基板の重ね位置がずれた場合のアドレス放電の放電領域を示す断面図である。
【図６】同実施例の変形例を示す断面図である。
【符号の説明】
【００６４】
１０      …前面ガラス基板（一方の基板）
１１      …第１誘電体層
１２      …第２誘電体層
１３      …背面ガラス基板（他方の基板）
１５      …隔壁
１５Ａ１  …第１縦壁（隔壁，縦壁部）
１５Ａ２  …第２縦壁（隔壁，縦壁部）
１５Ｂ１  …右斜壁（隔壁，横壁部）
１５Ｂ２  …左斜壁（隔壁，横壁部）
１６      …蛍光体層
Ｃ１Ｒ    …第１赤色放電セル（単位発光領域）
Ｃ１Ｇ    …第１緑色放電セル（単位発光領域）
Ｃ１Ｂ    …第１青色放電セル（単位発光領域）
Ｃ２Ｒ    …第２赤色放電セル（単位発光領域）
Ｃ２Ｇ    …第２緑色放電セル（単位発光領域）
Ｃ２Ｂ    …第２青色放電セル（単位発光領域）
Ｄ１，Ｄ３      …第１列電極（列電極）
Ｄ２，Ｄ４      …第２列電極（列電極）
Ｄ１ａ，Ｄ２ａ  …列電極本体部
Ｄ１ｂ，Ｄ２ｂ  …列電極放電部
Ｐ１      …第１画素（画素）
Ｐ２      …第２画素（画素）
Ｘ１，Ｘ２，Ｙ１，Ｙ２  …行電極
Ｘ１ａ，Ｙ１ａ          …バス電極（行電極本体部）
Ｘ１ｂ１，Ｘ１ｂ２，Ｙ１ｂ１，Ｙ１ｂ２  …透明電極（行電極突出部）
ｄ          …アドレス放電
ｇ１，ｇ２  …放電ギャップ
【図１】
2007066793.tif 000003
【図２】
2007066793.tif 000004
【図３】
2007066793.tif 000005
【図４】
2007066793.tif 000006
【図５】
2007066793.tif 000007
【図６】
2007066793.tif 000008